(57)【要約】【課題】洗面化粧台のデッドスペースを利用可能であるとともに、コストが抑制可能であり、また、開き戸を閉じれば外部に露出しないため見栄えもよく、さらに、ドライヤーやブラシ等の長物を収納できるため、洗面化粧台のカウンター周りをすっきりと整理することが可能な洗面化粧台を提供することを目的とする。【解決手段】本発明は、洗面ボールを有するカウンターと、その下方に位置し前記洗面ボールの前方を覆う戸当たり前板と、この戸当たり前板の前方に位置する開き扉とを備える洗面化粧台において、前記戸当たり前板に開口が設けられ、この開口はその後方への水平投影面がその後方の洗面ボールに干渉しない位置に設けられており、前記開口から後方側に向けて、長物収納を備えた洗面化粧台である。【選択図】図１
2009018090.tif 000002
【特許請求の範囲】
【請求項１】
洗面ボールを有するカウンターと、
その下方に位置し前記洗面ボールの前方を覆う戸当たり前板と、
この戸当たり前板の前方に位置する開き扉とを備える洗面化粧台において、
前記戸当たり前板に開口が設けられ、この開口はその後方への水平投影面がその後方の洗面ボールに干渉しない位置に設けられており、前記開口から後方側に向けて、長物収納を備えた洗面化粧台。
【請求項２】
請求項１において、
長物収納が、一の面が開放した直方体の収納ボックスを、前記開放した一の面が前記洗面化粧台の前方側に向けられた状態で、前記開口から前記洗面化粧台の後方側に向かって、略水平方向に挿入されることによって形成された洗面化粧台。
【請求項３】
請求項２において、
収納ボックスの開放した一の面の周囲にフランジが設けられ、
このフランジが開口の端部に勘合し、かつ、
このフランジの前面と戸当たり前板の前面とが平滑となる洗面化粧台。
【請求項４】
請求項１〜３の何れかにおいて、
長物収納が、洗面化粧台の前後方向に可動な引き出しトレーを備えた洗面化粧台。
【発明の詳細な説明】
【技術分野】
【０００１】
本発明は、デッドスペースとなり易い戸当たり前板に収納を備える洗面化粧台に関し、詳しくは、戸当たり前板にドライヤーやブラシ等の長物用の収納を備える洗面化粧台に関する。
【背景技術】
【０００２】
図８に示すように、洗面化粧台１の戸当たり前板１４や幕板は、洗面ボール１２が洗面化粧台１の前方側から見えないように覆う部材であり、その後方には、洗面ボール１２が設けられている。このため、洗面ボール１２と戸当たり前板１４や幕板、又は、洗面化粧台１の側板７との間にスペースがあっても利用し難く、デッドスペースとなることが多い。一方で、洗面化粧台１での使用頻度の高いドライヤーやブラシ等の長物は、幅広の引き出しや棚に収納すると、転がり易く、コードが絡まったり、乱雑になり易いことから、すっきり収納可能な収納が要求されている。
【０００３】
デッドスペースを利用したものとしては、幕板に洗面ボール部を避けて、引き出しを設けたもの（特許文献１〜３）、幕板を設けず前方側に開放した収納空間にドライヤーを収納可能としたもの（特許文献４）、幕板の前板を開閉式としてドライヤーを載置可能としたもの（特許文献５）が提案されている。
【特許文献１】特開平１０−２７２０２３号公報
【特許文献２】特開２００３−１５９１８２号公報
【特許文献３】特開２００３−１５９１８３号公報
【特許文献４】特開２００１−３４６７０３号公報
【特許文献５】特開平０８−２５６９２７号公報
【発明の開示】
【発明が解決しようとする課題】
【０００４】
しかしながら、特許文献１〜３は、何れも外部に露出する幕板に引き出しを設けるが、この場合、幕板は露出する側に化粧面を有するため、引き出しにも化粧面を有する前板を設ける必要がある。また、この前板は、幕板の下に備えられる引き出しや開き扉とは、別部材となるため、部品点数が増え、組立工数も増加し、コストを抑えるのが困難であった。
【０００５】
特許文献４は、幕板が設けられていないため、収納空間が洗面化粧台の前方側に開放しており、常時洗面ボールが露出する問題があった。特許文献５は、幕板の前板を閉じたときは、収納空間が狭く、ドライヤーやブラシを常時収納することができない。
【０００６】
本発明は、上記問題点に鑑みなされたものであり、洗面化粧台のデッドスペースを利用可能であるとともに、洗面化粧台に設けられた他の収納と共通の開き扉によって長物収納を設けた箇所が開閉するため、長物収納自体には化粧面を有する前板を設ける必要がなく、コストを抑えることが可能であり、また、開き扉を閉じれば外部に露出しないため見栄えもよく、さらに、ドライヤーやブラシ等の長物を収納できるため、洗面化粧台のカウンター周りをすっきりと整理することが可能な洗面化粧台を提供することを目的とする。
【課題を解決するための手段】
【０００７】
本発明は次のものに関する。
（１）  洗面ボールを有するカウンターと、その下方に位置し前記洗面ボールの前方を覆う戸当たり前板と、この戸当たり前板の前方に位置する開き扉とを備える洗面化粧台において、前記戸当たり前板に開口が設けられ、この開口はその後方への水平投影面がその後方の洗面ボールに干渉しない位置に設けられており、前記開口から後方側に向けて、長物収納を備えた洗面化粧台。
（２）  （１）において、長物収納が、一の面が開放した直方体の収納ボックスを、前記開放した一の面が前記洗面化粧台の前方側に向けられた状態で、前記開口から前記洗面化粧台の後方側に向かって、略水平方向に挿入されることによって形成された洗面化粧台。
（３）  （２）において、収納ボックスの開放した一の面の周囲にフランジが設けられ、このフランジが開口の端部に勘合し、かつ、このフランジの前面と戸当たり前板の前面とが平滑となる洗面化粧台。
（４）  （１）〜（３）の何れかにおいて、長物収納が、洗面化粧台の前後方向に可動な引き出しトレーを備えた洗面化粧台。
【発明の効果】
【０００８】
本発明によれば、洗面化粧台のデッドスペースを利用可能であるとともに、洗面化粧台に設けられた他の収納と共通の開き扉によって長物収納を設けた箇所が開閉するため、長物収納自体には化粧面を有する前板を設ける必要がなく、コストを抑えることが可能であり、また、開き扉を閉じれば外部に露出しないため見栄えもよく、さらに、ドライヤーやブラシ等の長物を収納できるため、洗面化粧台のカウンター周りをすっきりと整理することが可能な洗面化粧台を提供することができる。
【発明を実施するための最良の形態】
【０００９】
本発明の洗面化粧台の一例を、図１に示す。本発明の洗面化粧台としては、この例に示すように、洗面ボール１２を有するカウンター１３と、その下方に位置し前記洗面ボール１２の前方を覆う戸当たり前板１４と、この戸当たり前板１４の前方に位置する開き扉１５とを備える洗面化粧台１が挙げられる。
【００１０】
戸当たり前板１４には開口２が設けられ、この開口２はその後方への水平投影面がその後方の洗面ボール１２に干渉しない位置に設けられており、前記開口２から後方側に向けて、長物収納６を備える。
【００１１】
長物収納６は、洗面ボール１２とカウンター１３の下面全体を覆い、開口２の下端近傍の高さとなるように底板２４を設ける場合は、戸当たり前板１４に開口２を設けるだけで、形成することができる。つまり、この場合、戸当たり前板１４に開口２を設けると、この開口２の奥には、洗面ボール１２と、カウンター１３と、底板２４と、側板７と、背板８とによって囲まれたスペースが形成される。
【００１２】
このスペースは、洗面化粧台１の戸当たり前板１４から背板８までの奥行きのあるスペースとなるので、もともとデッドスペースであったにも関わらず、ドライヤーやブラシ等の長物を収納するのに十分な広さの長物収納６が形成される。このため、デッドスペースを有効に利用でき、洗面化粧台のカウンター周りをすっきりと整理することが可能となる。また、戸当たり前板１４に設けた開口２から、出し入れも容易である。また、洗面化粧台１に設けられた他の収納９と共通の開き扉１５によって、長物収納６を設けた開口２箇所が開閉するため、長物収納６自体には化粧面を有する前板を設ける必要がなく、コストを抑えることが可能であり、また、開き扉１５を閉じれば外部に露出しないため見栄えもよい。
【００１３】
また、図６に示すように、長物収納６は、洗面ボール１２とカウンター１３の下面全体を覆うように底板２４を設け、戸当たり前板１４に開口２を設け、さらに、この開口２の幅方向の端部裏面から後方に向かって仕切り板１８を設けて形成するのが望ましい。また、底板２４は、長物収納６の下面のみを覆うように、つまり、仕切り板１８から側板７までにかけて設けるのが、材料費を低減するためには望ましい。これにより、仕切り板１８と側板７とが、開口２から後方の空間に向かって形成された長物収納６の左右の側壁となり、長物収納６に収納したドライヤーやブラシ等が転がったりするのを防止できる。
【００１４】
底板２４の上面に対して、開口２の下端の高さが面一となるようにすると、長物の出し入れがスムーズである点で使い易い。また、底板２４の上面に対して、開口２の下端の高さが、高くなるようにすると、底板２４の上面と開口２の下端と間に生じる段差によって、収納した長物が振動や接触等によって落下するのを防止することが可能となる。
【００１５】
図２に示すように、長物収納６は、一の面が開放した直方体の収納ボックス３を、前記開放した一の面２２が前記洗面化粧台１の前方側に向けられた状態で、前記開口２から前記洗面化粧台１の後方側に向かって、略水平方向に挿入されることによっても形成することができる。収納ボックス３は、戸当たり前板１４の開口２の端部に固定される。この場合は、上述した、開口２のみを設けて長物収納６を形成する場合とは異なり、底板（図示しない。）は不要である。また、一の面が開放した直方体の収納ボックス３は、樹脂や金属板を成形することで廉価に製作できるため、さらにコストが抑制可能となる。樹脂の場合は成形が容易であり、金属板の場合は耐熱性、放熱性がよいので、使用後のドライヤーを熱い状態のまま収納することができる。
【００１６】
収納ボックス３が、戸当たり前板１４の開口２の端部に固定される構成としては、図３、図４に示すように、収納ボックスの開放した一の面２２の周囲にフランジ２０が設けられ、このフランジ２０が開口２の端部に勘合し、かつ、このフランジ２０の前面と戸当たり前板１４の前面とが平滑となるのが望ましい。ここで、フランジ２０の前面と戸当たり前板１４の前面とが平滑とは、戸当たり前板１４の前面に対して、フランジ２０の厚さ分しか飛び出さないことを言う。フランジ２０は、収納ボックス３と開口２との隙間や境界を隠すことにより、見栄えを良くする効果も有する。フランジ２０と開口２の端部との嵌合は、例えば、以下のような構成で可能となる。つまり、収納ボックス３の外周面には、フランジ２０の裏面から、戸当たり前板１４の厚さに相当する距離を開けた位置に、嵌合用の爪２１を設けておき、収納ボックス３を開口２に押し込んで、この爪２１とフランジ２０との間に戸当たり前板１４が位置するようにする。これにより、戸当たり前板１４が爪２１とフランジ２０とによって挟まれて嵌合し、開口２に収納ボックス３をしっかりと固定させることができる。しかも、戸当たり前板１４の前面に対して、収納ボックス３はフランジ２０の厚さ分しか飛び出さないので、平滑であり、戸当たり部材１１が設けられることにより、開き扉１５の裏面が、フランジ２０に接触するのを抑制することができる。
【００１７】
なお、収納ボックス３のフランジ２０を戸当たり前板１４の開口２の端部に固定する方法は、収納ボックス３内に、ドライヤーやブラシ等の長物を収納しても、収納ボックス３が戸当たり前板１４にしっかりと固定される方法であれば、限定するものではない。上述した爪２１を用いて嵌合する方法以外に、フランジ２０を貫通して戸当たり前板１４に達するネジで固定する方法、その他の方法を使用することができる。
【００１８】
図７（ａ）、（ｂ）に示すように、戸当たり前板１４の前面側に、収納ボックス３のフランジ２０の厚みに相当する深さの凹み１０を設け、収納ボックス３の外周面には、フランジ２０の裏面から、戸当たり前板１４の厚さから凹み１０の深さを差し引いた距離を開けた位置に、嵌合用の爪２１を設けておくのがさらに望ましい。これにより、戸当たり前板１４の凹み１０箇所が、爪２１とフランジ２０とによって挟まれて嵌合した際に、フランジ２０の前面と戸当たり前板１４の前面とが面一となり、戸当たり部材１１が設けられることにより、開き扉１５の裏面が、フランジ２０に接触するのを防止することができる。また、見栄えをよくすることができる。
【００１９】
図５、図６に示すように、長物収納６が、洗面化粧台１の前後方向に可動な引き出しトレー４を備えるのが望ましい。これにより、この引き出しトレー４にドライヤーやブラシ等の長物を収納した状態で、長物収納６に出し入れすることが可能となるため、長物収納６の奥行きが深い場合でも、出し入れを容易にすることができる。また、このため、長物収納６の奥行き全体を、収納として利用することが可能となり、さらにデッドスペースの利用を図ることができる。
【００２０】
このように、長物収納６に引き出しトレー４を設ける場合、例えば、図６に示すように、長物収納６は、洗面ボール１２とカウンター１３の下面全体を覆うように底板２４を設け、戸当たり前板１４に開口２を設け、この開口２の幅方向の端部裏面から後方に向かって仕切り板１８を設けて形成するのが望ましい。また、底板２４は、長物収納６の下面のみを覆うように、つまり、仕切り板１８から側板７までにかけて設けるのが、材料費を低減するためには望ましい。これにより、仕切り板１８と側板７とが、開口２から後方の空間に向かって形成された長物収納６の側壁となり、引き出しトレー４の幅方向の動きを制限し、前後方向の引き出し操作をスムーズに行うことができる。
【００２１】
図５、図６に示すように、引き出しトレー４の開口面の周囲には、外側に水平に張り出したフランジ２３を設け、また、長物収納６の左右の側壁となる仕切り板１８と側板７に、レール１９を設け、引き出しトレー４のフランジ２３が、レール１９に掛かるようにするのが望ましい。これにより、前後方向の引き出し操作をスムーズに行うことができる。なお、このように、仕切り板１８にレール１９を設ける場合は、仕切り板１８が底板２４を用いずに支持される場合、つまり、底板２４の前方側端部が、戸当たり前板１４に、後方端部が背板８に固定されて支持される場合や、底板２４の上端部が、カウンター１３の下面に固定されて支持される場合には、底板２４を設けないようにすることもできる。
【００２２】
引き出しトレー４のフランジ２３のうち、長物収納６に設けられた際に前方となるフランジ２３には、取っ手（図示しない。）を設けるのが望ましい。この取っ手（図示しない。）は、例えば、引き出しトレー４の開口面の外側に水平に張り出したフランジ２３の先端を、下方に略垂直に折り曲げた形状とすることで設けると簡易な構成であり、成形時に一括形成できるため、望ましい。
【実施例】
【００２３】
（実施例１）
本発明の洗面化粧台の実施例１を、図１に示す。本実施例の洗面化粧台の基本構成は、洗面ボール１２を有するカウンター１３と、その下方に位置し前記洗面ボール１２の前方を覆う戸当たり前板１４と、この戸当たり前板１４の前方に位置する開き扉１５とを備える。
【００２４】
戸当たり前板１４には開口２が設けられ、この開口２はその後方への水平投影面がその後方の洗面ボール１２に干渉しない位置に設けられており、前記開口２から後方側に向けて、長物収納６を備える。
【００２５】
長物収納６は、洗面ボール１２とカウンター１３の下面全体を覆うように底板２４を設け、戸当たり前板１４に開口２を設け、さらに、この開口２の幅方向の端部裏面から後方に向かって仕切り板１８（図６を参照。）を設けて形成する。この仕切り板１８と側板７とが、開口２から後方の空間に向かって形成された長物収納６の左右の側壁となる。この結果、開口２の奥には、洗面ボール１２と、カウンター１３と、底板２４と、仕切り板１８と、側板７と、背板８とによって囲まれたスペースが形成される。なお、底板２４の上面と、開口２の下端の高さが、略面一となるようにする。
【００２６】
（実施例２）
実施例２の洗面化粧台の基本構成、及び、戸当たり前板１４に設ける開口２の位置は、実施例１と同様である。
【００２７】
図２に示すように、長物収納６は、一の面が開放した直方体の収納ボックス３を、前記開放した一の面２２が前記洗面化粧台１の前方側に向けられた状態で、前記開口２から前記洗面化粧台１の後方側に向かって、略水平方向に挿入されることによって形成される。収納ボックス３は、戸当たり前板１４の開口２の端部に固定される。上述した、実施例１、及び、実施例２の場合とは異なり、洗面ボール１２とカウンター１３の下面全体を覆う底板（図示しない。）は設けない。また、一の面が開放した直方体の収納ボックス３は、樹脂を成形することで製作する。
【００２８】
図３、図４に示すように、収納ボックス３は、幅１０５ｍｍ、高さ１４５ｍｍの有効開口寸法を持った奥行き３３０ｍｍ程度の角型収納ボックスとする。収納ボックス３の開放した一の面２２の周囲に設けられたフランジ２０は、開口２の端部に勘合し、かつ、このフランジ２０の前面と戸当たり前板１４の前面とが平滑となるようにする。つまり、収納ボックス３の外周面には、フランジ２０の裏面から、戸当たり前板１４の厚さに相当する距離を開けた位置に、嵌合用の爪２１を設けておき、収納ボックス３を開口２に押し込んで、この爪２１とフランジ２０との間に戸当たり前板１４が位置するようにする。また、戸当たり前板１４の前面に対して、収納ボックス３はフランジ２０の厚さ分しか飛び出さないようにする。
【００２９】
（実施例３）
実施例３の洗面化粧台の基本構成、及び、戸当たり前板１４に設ける開口２の位置は、実施例１と同様である。また、使用する収納ボックス３、及び、長物収納６の構成は、実施例３と同様である。
【００３０】
図７（ａ）、（ｂ）に示すように、戸当たり前板１４の前面側に、収納ボックス３のフランジ２０の厚みに相当する深さの凹み１０を設け、収納ボックス３の外周面には、フランジ２０の裏面から、戸当たり前板１４の厚さから凹み１０の深さを差し引いた距離を開けた位置に、嵌合用の爪２１を設けておく。そして、収納ボックス３を開口２に押し込んで、この爪２１とフランジ２０との間に戸当たり前板１４が位置するようにし、フランジ２０の前面と戸当たり前板１４の前面とが面一となるようにする。
【００３１】
（実施例４）
実施例４の洗面化粧台の基本構成、及び、戸当たり前板１４に設ける開口２の位置は、実施例１と同様である。
【００３２】
図６に示すように、長物収納６は、洗面ボール１２とカウンター１３の下面全体を覆うように底板２４を設け、戸当たり前板１４に開口２を設け、この開口２の幅方向の端部裏面から後方に向かって仕切り板１８を設けて形成する。
【００３３】
図５、図６に示すように、長物収納６に、洗面化粧台１の前後方向に可動な引き出しトレー４を備える。引き出しトレー４の開口面の周囲には、外側に水平に張り出したフランジ２３を設け、また、長物収納６の左右の側壁となる仕切り板１８と側板７に、レール１９を設け、引き出しトレー４のフランジ２３が、レール１９に掛かるようにする。
【００３４】
引き出しトレー４のフランジ２３のうち、長物収納６に設けられた際に前方となるフランジ２３には、取っ手（図示しない。）を設ける。この取っ手（図示しない。）は、引き出しトレー４の開口面の外側に水平に張り出したフランジ２３の先端を、下方に略垂直に折り曲げた形状とすることで設ける。
【００３５】
（実施例５）
実施例５の洗面化粧台の基本構成、及び、戸当たり前板１４に設ける開口２の位置は、実施例１と同様である。また、使用する収納ボックス３、及び、長物収納６の構成は、実施例２と同様である。
【００３６】
長物収納６に取り付けた収納ボックス３内に、洗面化粧台１の前後方向に可動な引き出しトレー４を備える。この引き出しトレー４には、実施例４と同様の取っ手を設ける。
【図面の簡単な説明】
【００３７】
【図１】実施例１の洗面化粧台の斜視図である。
【図２】実施例２、３の洗面化粧台の斜視図である。
【図３】実施例４、５の洗面化粧台に使用する収納ボックスの斜視図である。
【図４】実施例２の洗面化粧台に使用する収納ボックスのフランジと戸当たり前板との勘合状態を表す拡大図である。
【図５】実施例４の洗面化粧台の斜視図である。
【図６】実施例４の洗面化粧台の引き出し構造の平面図である。
【図７】実施例３の洗面化粧台に使用する収納ボックスのフランジと戸当たり前板との勘合状態を表す拡大図である。
【図８】従来の洗面化粧台の斜視図である。
【符号の説明】
【００３８】
１…洗面化粧台、２…開口、３…収納ボックス、４…引出しトレー、６…長物収納、７…側板、８…背板、９…他の収納、１０…凹み、１１…戸当たり部材、１２…洗面ボール、１３…カウンター、１４…戸当たり前板、１５…開き扉、１８…仕切り板、１９…レール、２０…フランジ、２１…爪、２２…開放した一の面、２３…フランジ、２４…底板
【図１】
2009018090.tif 000003
【図２】
2009018090.tif 000004
【図３】
2009018090.tif 000005
【図４】
2009018090.tif 000006
【図５】
2009018090.tif 000007
【図６】
2009018090.tif 000008
【図７】
2009018090.tif 000009
【図８】
2009018090.tif 000010